(57)【特許請求の範囲】
【請求項１】
アンテナ接続用の入力端子と、前記入力端子に入力されたＶＨＦのテレビジョン信号とＵＨＦ帯のテレビジョン信号とを分波する分波器と、前記分波器の出力側に接続されたＶＨＦチュ−ナ部及びＵＨＦチュ−ナ部とを備え、前記ＶＨＦチュ−ナ部をハイバンドのテレビジョン信号の受信状態又はロ−バンドのテレビジョン信号の受信状態に切り換えるように構成し、前記入力端子と前記分波器との間にインダクタを接続し、前記インダクタのインダクタンス値を、前記ＵＨＦ帯のテレビジョン信号の受信状態では最小値とし、前記ロ−バンドのテレビジョン信号の受信状態では最大値とし、前記ハイバンドのテレビジョン信号の受信状態では前記最小値と前記最大値との間の値とするように切り換えたことを特徴とするテレビジョン信号受信チュ−ナ。
【請求項２】
前記インダクタは互いに直列接続された第一及び第二のインダクタと、前記第一及び第二のインダクタの直列接続体に並列接続された第一のスイッチダイオ−ドと、前記第二のインダクタに並列接続された第二のスイッチダイオ−ドとを有し、前記ＵＨＦ帯のテレビジョン信号の受信状態では前記第１のスイッチダイオードを導通状態とし、前記ロ−バンドのテレビジョン信号の受信状態では前記第１及び第２のスイッチダイオードを共に非導通状態とし、前記ハイバンドのテレビジョン信号の受信状態では前記第２のスイッチダイオードを導通状態としたことを特徴とする請求項１記載のテレビジョン信号受信チュ−ナ。
【請求項３】
パ−ソナルコンピュ−タ本体の装着口に挿入される矩形状のプリント基板を備え、前記プリント基板の一端側には前記パ−ソナルコンピュ−タ本体内のコネクタに係合可能なコネクタ部を形成し、前記プリント基板上の他端側にはアンテナ接続用の入力端子と前記入力端子に一端が接続されたインダクタとを設け、前記プリント基板上には、前記インダクタに隣接してＶＨＦ帯のテレビジョン信号とＵＨＦ帯のテレビジョン信号とを分波する分波器と、前記分波器に接続されたＶＨＦチュ−ナ部及びＵＨＦチュ−ナ部とを有するチュ−ナ部を直接構成すると共に、前記ＶＨＦチュ−ナ部をハイバンド又はロ−バンドの受信状態に切り換えるように構成し、前記インダクタの他端を前記分波器に接続し、前記インダクタの他端を前記分波器に接続し、前記インダクタのインダクタンス値を、前記ＵＨＦ帯のテレビジョン信号の受信状態では最小値とし、前記ロ−バンドのテレビジョン信号の受信状態では最大値とし、前記ハイバンドのテレビジョン信号の受信状態では前記最小値と前記最大値との間の値とするように切り換えたことを特徴とするパ−ソナルコンピュ−タ用テレビジョン信号受信ユニット。
【請求項４】
パ−ソナルコンピュ−タ本体の装着口に挿入される矩形状のプリント基板を備え、前記プリント基板の一端側には前記パ−ソナルコンピュ−タ本体内のコネクタに係合可能なコネクタ部を形成し、前記プリント基板上の他端側にはアンテナ接続用の入力端子と前記入力端子に一端が接続されたインダクタとを設け、前記プリント基板上には、前記インダクタに隣接してＶＨＦ帯のテレビジョン信号とＵＨＦ帯のテレビジョン信号とを分波する分波器と、前記分波器に接続されたＶＨＦチュ−ナ部及びＵＨＦチュ−ナ部とを有するテレビジョン信号受信チュ−ナを搭載すると共に、前記ＶＨＦチュ−ナ部をハイバンドのテレビジョン信号の受信状態又はロ−バンドのテレビジョン信号の受信状態に切り換えるように構成し、前記インダクタの他端を前記分波器に接続し、前記インダクタのインダクタンス値を、前記ＵＨＦ帯のテレビジョン信号の受信状態では最小値とし、前記ロ−バンドのテレビジョン信号の受信状態では最大値とし、前記ハイバンドのテレビジョン信号の受信状態では前記最小値と前記最大値との間の値とするように切り換えたことを特徴とするパ−ソナルコンピュ−タ用テレビジョン信号受信ユニット。
【請求項５】
前記インダクタは互いに直列接続された第一及び第二のインダクタと、前記第一及び第二のインダクタの直列接続体に並列接続された第一のスイッチダイオ−ドと、前記第二のインダクタに並列接続された第二のスイッチダイオ−ドとを有し、前記ＵＨＦ帯のテレビジョン信号の受信状態では前記第１のスイッチダイオードを導通状態とし、前記ロ−バンドのテレビジョン信号の受信状態では前記第１及び第２のスイッチダイオードを共に非導通状態とし、前記ハイバンドのテレビジョン信号の受信状態では前記第２のスイッチダイオードを導通状態としたことを特徴とする請求項３又は４記載のパ−ソナルコンピュ−タ用テレビジョン信号受信ユニット。
【請求項６】
前記プリント基板上には、前記プリント基板の他端に沿って導体パタ−ンで形成されたライン状のアンテナを設け、前記アンテナの一端を前記入力端子に接続したことを特徴とする請求項３乃至５の何れかに記載のパ−ソナルコンピュ−タ用テレビジョン信号受信ユニット。
【請求項７】
前記アンテナの長さを、前記ＵＨＦ帯のテレビジョン信号の周波数帯のほぼ中間の周波数に対して１／４波長に設定したことを特徴とする請求項６記載のパ−ソナルコンピュ−タ用テレビジョン信号受信ユニット。
【発明の詳細な説明】
【０００１】
【発明の属する技術分野】
近年、薄型のテレビジョン信号受信チュ−ナをカ−ド型のプリント基板に搭載してパ−ソナルコンピュ−タ用テレビジョン信号受信ユニット（以下、チュ−ナカ−ドという）とし、これをパ−ソナルコンピュ−タ（以下単にパソコンという）に装着可能としてパソコンのデスプレイにテレビジョンの画像を出力できるようにしたものがある。
本発明は、特に、ノ−ト型パソコンに装着されて使用するのに好適なチュ−ナカ−ドおよびこのチュ−ナカ−ドに使用するチュ−ナに関する。
【０００２】
【従来の技術】
従来のチュ−ナカ−ドを図７および図８を参照して説明する。矩形状のプリント基板４１の一端側にはパソコン（図示せず）との接続用のコネクタ部４１ａが形成されている。そして、このコネクタ部４１ａに対向した他端側に沿うようにチュ−ナ４２が搭載されている。チュ−ナ４２は、金属ケ−ス内に収納されたチュ−ナ基板（図示せず）に回路が組み込まれている。そして金属ケ−スの側面にコネクタ４２ａが取り付けられており、チュ−ナ４２はこのコネクタ４２ａがプリント基板の他端側に向いた状態でプリント基板４１上に搭載されている。そしてこのコネクタ４２ａに、外部のアンテナ（図示せず）からのテレビジョン信号が供給される。
また、プリント基板４１のコネクタ部４１ａとチュ−ナ４２との間の領域４１ｂには、チュ−ナ４２から出力された映像信号等をパソコンに入力するためのインタ−フェイスとなるデジタル回路を構成する電子部品（図示せず）が搭載されている。
【０００３】
そして、このチュ−ナカ−ドをパソコンに装着する場合は、パソコンの側面に設けられている装着口（図示せず）からこのチュ−ナカ−ドを挿入し、コネクタ部４１ａをパソコンの内部に設けられているコネクタ（図示せず）に係合するようにしている。この状態では、デジタル回路を構成する電子部品が搭載された領域４１ｂはパソコンの装着口内に挿入されるが、チュ−ナ４２はパソコンの側面から外部に突出する。そのため、プリント基板４１の領域４１ｂにおける高さはパソコンの装着口の高さに合わせてほぼ５ｍｍ程度に押さえられている。
そして、チュ−ナ４２の側面に設けられているコネクタ４２ａに図示しないアンテナを接続してこのチュ−ナ４２にテレビジョン信号を入力するようにしている。
【０００４】
図８はチュ−ナ４２の概略のブロック構成を示す。コネクタ４２ａに接続される入力端５１にはＶＨＦ帯のテレビジョン信号及びＵＨＦ帯のテレビジョン信号が入力される。これらのテレビジョン信号は分波回路５２でＶＨＦ帯のテレビジョン信号とＵＨＦ帯のテレビジョン信号とが分けられ、それぞれＶＨＦチュ−ナ部５３とＵＨＦチュ−ナ部５４とに入力されて所望のチャンネルのテレビジョン信号が選択されるとともに中間周波信号に周波数変換される。この中間周波信号は、中間周波回路５５で所定の増幅と選択度特性とを与えられた後に復調器５６において映像信号Ｖと音声信号Ａとが取り出される。
【０００５】
また、チュ−ナ４２には、選局したテレビジョン信号が属する受信バンドを選択するためのバンド切り換え電圧発生回路５７が備えられており、このバンド切り換え電圧発生回路５７にテレビジョンセットあるいはパソコンから選局信号Ｓが入力される。この受信バンドは、ＵＨＦ帯、ＶＨＦ帯のハイバンド、ＶＨＦ帯のロ−バンドの３バンドに分けられている。そしてＵＨＦ帯のテレビジョン信号を受信する場合は、バンド切り換え電圧発生回路５７は、その出力端子５７ａにＵＨＦ帯のバンド切り替え電圧ＵＢを出力してＵＨＦチュ−ナ部５４に供給する。同様に、ＶＨＦ帯のハイバンドのテレビジョン信号を受信する場合は、出力端子５７ｂにハイバンドの切り替え電圧ＨＢを出力し、ＶＨＦ帯のロ−バンドのテレビジョン信号を受信する場合は出力端子５７ｃにロ−バンドのバンド切り替え電圧ＬＢを出力してＶＨＦチュ−ナ部５３に供給するようにしている。
【０００６】
【発明が解決しようとする課題】
しかし、以上のような従来のチュ−ナを使用してノ−ト型パソコン用のチュ−ナカ−ドを構成した場合は、以下の問題がある。
即ち、ノ−ト型パソコンは元来、携帯性、移動性を有するものであり、使用場所の制限を受けずに使用できることを旨としている。しかし、使用場所にアンテナが用意されている場合や、屋外のアンテナに接続されたアンテナケ−ブルが使用場所まで引き込まれている場合はそのアンテナやアンテナケ−ブルをチュ−ナ４２のコネクタ４２ａに接続できるが、一般には、使用場所にアンテナやアンテナケ−ブルが準備されていないケ−スが多い。そのため、テレビジョン信号をノ−ト型パソコンに取り込んで使用するには、使用場所が制限されることになる。
【０００７】
そこで、本発明のチュ−ナカ−ドおよびこのチュ−ナカ−ドに使用するテレビジョン信号受信チュ−ナは、ノ−ト型パソコンに使用する場合でも使用場所の制限を受けずにテレビジョン信号を受信できるようにするものである。
【０００８】
【課題を解決するための手段】
上記課題を解決するため、本発明のテレビジョン信号受信チュ−ナは、アンテナ接続用の入力端子と、前記入力端子に入力されたＶＨＦのテレビジョン信号とＵＨＦ帯のテレビジョン信号とを分波する分波器と、前記分波器の出力側に接続されたＶＨＦチュ−ナ部及びＵＨＦチュ−ナ部とを備え、前記ＶＨＦチュ−ナ部をハイバンドのテレビジョン信号の受信状態又はロ−バンドのテレビジョン信号の受信状態に切り換えるように構成し、前記入力端子と前記分波器との間にインダクタを接続し、前記インダクタのインダクタンス値を、前記ＵＨＦ帯のテレビジョン信号の受信状態では最小値とし、前記ロ−バンドのテレビジョン信号の受信状態では最大値とし、前記ハイバンドのテレビジョン信号の受信状態では前記最小値と前記最大値との間の値とするように切り換えた。
【０００９】
また、本発明のテレビジョン信号受信チュ−ナは、前記インダクタは互いに直列接続された第一及び第二のインダクタと、前記第一及び第二のインダクタの直列接続体に並列接続された第一のスイッチダイオ−ドと、前記第二のインダクタに並列接続された第二のスイッチダイオ−ドとを有し、前記ＵＨＦ帯のテレビジョン信号の受信状態では前記第１のスイッチダイオードを導通状態とし、前記ロ−バンドのテレビジョン信号の受信状態では前記第１及び第２のスイッチダイオードを共に非導通状態とし、前記ハイバンドのテレビジョン信号の受信状態では前記第２のスイッチダイオードを導通状態とした。
【００１０】
そして、本発明のパ−ソナルコンピュ−タ用テレビジョン信号受信ユニットは、パ−ソナルコンピュ−タ本体の装着口に挿入される矩形状のプリント基板を備え、前記プリント基板の一端側には前記パ−ソナルコンピュ−タ本体内のコネクタに係合可能なコネクタ部を形成し、前記プリント基板上の他端側にはアンテナ接続用の入力端子と前記入力端子に一端が接続されたインダクタとを設け、前記プリント基板上には、前記インダクタに隣接してＶＨＦ帯のテレビジョン信号とＵＨＦ帯のテレビジョン信号とを分波する分波器と、前記分波器に接続されたＶＨＦチュ−ナ部及びＵＨＦチュ−ナ部とを有するチュ−ナ部を直接構成すると共に、前記ＶＨＦチュ−ナ部をハイバンドのテレビジョン信号の受信状態又はロ−バンドのテレビジョン信号の受信状態に切り換えるように構成し、前記インダクタの他端を前記分波器に接続し、前記インダクタのインダクタンス値を、前記ＵＨＦ帯のテレビジョン信号の受信状態では最小値とし、前記ロ−バンドのテレビジョン信号の受信状態では最大値とし、前記ハイバンドのテレビジョン信号の受信状態では前記最小値と前記最大値との間の値とするように切り換えた。
【００１１】
また、本発明のパ−ソナルコンピュ−タ用テレビジョン信号受信ユニットは、パ−ソナルコンピュ−タ本体の装着口に挿入される矩形状のプリント基板を備え、前記プリント基板の一端側には前記パ−ソナルコンピュ−タ本体内のコネクタに係合可能なコネクタ部を形成し、前記プリント基板上の他端側にはアンテナ接続用の入力端子と前記入力端子に一端が接続されたインダクタとを設け、前記プリント基板上には、前記インダクタに隣接してＶＨＦ帯のテレビジョン信号とＵＨＦ帯のテレビジョン信号とを分波する分波器と、前記分波器に接続されたＶＨＦチュ−ナ部及びＵＨＦチュ−ナ部とを有するテレビジョン信号受信チュ−ナを搭載すると共に、前記ＶＨＦチュ−ナ部をハイバンドのテレビジョン信号の受信状態又はロ−バンドのテレビジョン信号の受信状態に切り換えるように構成し、前記インダクタの他端を前記分波器に接続し、前記インダクタのインダクタンス値を、前記ＵＨＦ帯のテレビジョン信号の受信状態では最小値とし、前記ロ−バンドのテレビジョン信号の受信状態では最大値とし、前記ハイバンドのテレビジョン信号の受信状態では前記最小値と前記最大値との間の値とするように切り換えた。
【００１２】
また、本発明のパ−ソナルコンピュ−タ用テレビジョン信号受信ユニットは、前記インダクタは互いに直列接続された第一及び第二のインダクタと、前記第一及び第二のインダクタの直列接続体に並列接続された第一のスイッチダイオ−ドと、前記第二のインダクタに並列接続された第二のスイッチダイオ−ドとを有し、前記ＵＨＦ帯のテレビジョン信号の受信状態では前記第１のスイッチダイオードを導通状態とし、前記ロ−バンドのテレビジョン信号の受信状態では前記第１及び第２のスイッチダイオードを共に非導通状態とし、前記ハイバンドのテレビジョン信号の受信状態では前記第２のスイッチダイオードを導通状態とした。
【００１３】
また、本発明のパ−ソナルコンピュ−タ用テレビジョン信号受信ユニットは、前記プリント基板上には、前記プリント基板の他端に沿って導体パタ−ンで形成されたライン状のアンテナを設け、前記アンテナの一端を前記入力端子に接続した。
【００１４】
そして、本発明のパ−ソナルコンピュ−タ用テレビジョン信号受信ユニットは、前記アンテナの長さを、前記ＵＨＦ帯のテレビジョン信号の周波数帯のほぼ中間の周波数に対して１／４波長に設定した。
【００１５】
【発明の実施の形態】
本発明のパ−ソナルコンピュ−タ用テレビジョン信号受信ユニット（以下、チュ−ナカ−ドという）およびこのチュ−ナカ−ドに使用するテレビジョン信号受信チュ−ナ（以下、チュ−ナという）を図１乃至図３を参照して説明する。先ず、図１において、矩形状のプリント基板１の一端側にはコネクタ部１ａが形成され、このコネクタ部１ａに対向した他端側に沿ってチュ−ナ２が搭載されている。チュ−ナ２は、金属ケ−ス内に収納されたチュ−ナ基板（図示せず）に回路が組み込まれている。そして金属ケ−スの側面にコネクタ２ａが取り付けられており、チュ−ナ２はこのコネクタ２ａがプリント基板の他端側に向いた状態でプリント基板１上に搭載されている。そしてこのコネクタ２ａに、図示しないアンテナ（以下、外部アンテナという）からのテレビジョン信号が供給される。また、プリント基板１上には、コネクタ部１ａとチュ−ナ２との間の領域１ｂに、チュ−ナ２でテレビジョン信号を復調して得た映像信号等をノ−ト型パソコン（図示せず、以下同じ）に入力するためのインタ−フェイスとなるデジタル回路を構成する電子部品（図示せず）が搭載されチュ−ナカ−ドが構成されている。
【００１６】
そして、このチュ−ナカ−ドをパソコンに装着する場合は、パソコン本体の側面に設けられている装着口（図示せず）からこのチュ−ナカ−ドを挿入し、コネクタ部１ａをパソコン本体の内部に設けられているコネクタ（図示せず）に係合するようにしている。この状態では、デジタル回路が構成されているプリント基板１の領域１ｂはパソコン本体の装着口内に挿入されるが、チュ−ナ２はパソコン本体の側面から外部に突出している。そのため、プリント基板１の厚さを含めた領域１ｂの全体の高さはパソコン本体の装着口の高さに合わせてほぼ５ｍｍ程度に押さえられている。
【００１７】
そして、チュ−ナ２の側面に設けられているコネクタ２ａに外部アンテナを接続してこのチュ−ナ２にテレビジョン信号を入力するようにしている。このコネクタ２ａに接続する外部アンテナは、例えば、ＵＨＦ帯のテレビジョン信号の周波数帯のほぼ中心周波数６００ＭＨｚに対応する波長の１／４となる、長さが１２ＣＭ（センチメ−トル）程度の棒状のアンテナが好適であり、チュ−ナカ−ドの近傍、例えば、パソコン本体の側面に適宜の手段で固定される。
【００１８】
図２はチュ−ナ２の概略のブロック構成を示す。入力端２１はコネクタ２ａに接続され、この入力端２１にＶＨＦ帯のテレビジョン信号及びＵＨＦ帯のテレビジョン信号が入力される。これらのテレビジョン信号は分波回路２２でＶＨＦ帯のテレビジョン信号とＵＨＦ帯のテレビジョン信号とが分けられ、それぞれＶＨＦチュ−ナ部２３とＵＨＦチュ−ナ部２４とに入力されて所望のチャンネルのテレビジョン信号が選択されるとともに中間周波信号に周波数変換される。この中間周波信号は、中間周波回路２５で所定の増幅と選択度特性とを与えられた後に復調器２６において映像信号Ｖと音声信号Ａとが取り出される。
【００１９】
ＶＨＦチュ−ナ部２３は、ＶＨＦ帯のテレビジョン信号のうち高域の周波数帯であるハイバンドのテレビジョン信号の受信状態と、低域の周波数帯であるロ−バンドのテレビジョン信号の受信状態との二つの受信状態に切り換えて受信するようになっている。そのために、チュ−ナ２には、テレビジョンセットあるいはパソコンからの選局信号Ｓに基づいてバンド切り換え電圧を発生するバンド切り換え電圧発生回路２７が備えられている。即ち、バンド切り換え電圧発生回路２７は、バンド切り換え電圧を出力する三つの出力端子２７ａ、２７ｂ、２７ｃを有し、ＵＨＦ帯のテレビジョン信号を受信する場合は、出力端子２７ａにＵＨＦ帯のバンド切り換え電圧ＵＢを出力してＵＨＦチュ−ナ部２４に供給する。これによってＵＨＦチュ−ナ部２４が動作状態となる。
【００２０】
また、ＶＨＦ帯のハイバンドのテレビジョン信号を受信する場合は、出力端子２７ｂにハイバンドのバンド切り換え電圧ＨＢを出力してＶＨＦチュ−ナ部２３に供給する。これによってＶＨＦチュ−ナ部２３はハイバンドの受信状態となる。さらに、ＶＨＦ帯のロ−バンドのテレビジョン信号を受信する場合は、出力端子２７ｃにロ−バンドのバンド切り換え電圧ＬＢを出力してＶＨＦチュ−ナ部２３に供給する。これによってＶＨＦチュ−ナ部２３はロ−バンドの受信状態となる。
【００２１】
一方、入力端２１と分波回路２２との間は、互いに直列接続された第一のインダクタ２８と第二のインダクタ２９との直列体によって接続されている。このため、入力端２１に接続される外部アンテナと第一のインダクタ２８と第二のインダクタとが実質的なアンテナとして機能する。また、この直列体に並列接続された第一のスイッチダイオ−ド３０と第二のインダクタ２９に並列接続された第二のスイッチダイオ−ド３１とが設けられている。そして第一のスイッチダイオ−ド３０のアノ−ドにはＵＨＦ帯のテレビジョン信号を受信するためのＵＨＦ帯のバンド切り換え電圧ＵＢが供給され、また、第二のスイッチダイオ−ド３１のアノ−ドにはＶＨＦ帯のテレビジョン信号のうちハイバンドのテレビジョン信号を受信するためのハイバンドのバンド切り換え電圧ＨＢが供給されるようになっている。そして、第一のスイッチダイオ−ド３０のカソ−ドと第二のスイッチダイオ−ド３１のカソ−ドとは抵抗３２を介してグランドに接続されている。これらの第一のインダクタ２８、第二のインダクタ２９、第一のスイッチダイオ−ド３０第二のスイッチダイオ−ド３１は、入力端２１に接続される外部アンテナの長さを補正する補正回路３３を構成している。
【００２２】
そして、チュ−ナ２がＵＨＦ帯のテレビジョン信号を受信する場合は、ＵＨＦ帯のバンド切り換え電圧ＵＢが第一のスイッチダイオ−ド３０のアノ−ドに供給されることによってこの第一のスイッチダイオ−ド３０が導通状態となり、第一のインダクタ２８と第二のインダクタ２９との直列体の両端が短絡される。これによって、入力端２１は高周波的に直接分波回路２２に接続されることになる。従って、図示しない外部アンテナで受けたＵＨＦ帯のテレビジョン信号が直接分波器２２に入力されることになる。これによってＵＨＦ帯のテレビジョン信号はＵＨＦの周波数帯の低域と高域では若干感度が低下するものの、ＵＨＦの全周波数帯に渡って受信可能となる。
【００２３】
一方、チュ−ナ２がＶＨＦ帯のテレビジョン信号のうちハイバンドのテレビジョン信号を受信する場合は、ハイバンドのバンド切り換え電圧ＨＢが第二のスイッチダイオ−ド３１のアノ−ドに供給されることによって第二のスイッチダイオ−ド３１が導通状態となる。このため、直列接続された第一のインダクタ２８および第二のインダクタ２９のうち第二のインダクタ２８の両端が短絡され、入力端２１が第一のインダクタ２８を介して分波器２２に接続されることになる。従って第一のインダクタ２８が外部アンテナに直列に接続されることになり、これによって、アンテナの長さが見かけ上長くなり、第一のインダクタ２８のインダクタンスを適宜に設定することによって、この見かけ上の長さがＶＨＦ帯のハイバンドの中心周波数であるほぼ１９５ＭＨｚの受信に最適となるようにすることができる。そして、図示しない外部アンテナで受けたＶＨＦ帯のテレビジョン信号が第一のインダクタ２８を介して分波回路２２に入力されることになる。この場合も、ＶＨＦ帯におけるハイバンドのテレビジョン信号はハイバンドの低域と高域では若干感度が低下するものの、ハイバンドの全周波数帯に渡って受信可能となる。
【００２４】
さらに、チュ−ナ２がＶＨＦ帯のテレビジョン信号のうちロ−バンドのテレビジョン信号を受信する場合は、第一のスイッチダイオ−ド２７および第二のスイッチダイオ−ド２８にはロ−バンドのバンド切り換え電圧ＬＢは供給されない。これによって、第一のインダクタ２８と第二のインダクタ２９とは、その両端が短絡されることはなく、入力端２１が第一のインダクタ２８と第二のインダクタ２９との直列体を介して分波回路２２に接続されることになる。従って外部アンテナに第一のインダクタ２８と第二のインダクタ２９とが直列に接続されたことになって、アンテナの長さが見かけ上さらに長くなる。この場合も、第二のインダクタ２９のインダクタンスを適宜に設定することによって、この実効的な長さがＶＨＦ帯のロ−バンドの中心周波数であるほぼ１００ＭＨｚの受信に最適となるようにすることができる。そして、図示しない外部アンテナで受けたＶＨＦ帯のテレビジョン信号が第一のインダクタ２８および第二のインダクタ２９を介して分波回路２２に入力されることになる。この場合も、ＶＨＦ帯におけるロ−バンドのテレビジョン信号はその低域と高域では若干感度が低下するものの、ロ−バンドの全周波数帯に渡って受信可能となる。
【００２５】
このように、本発明のテレビジョン信号受信チュ−ナは、外部アンテナの長さを補正する補正回路３３を入力端２１と分波回路２２との間に設けたテレビジョン信号受信チュ−ナ２を搭載したので、入力端２１に簡単な棒状のアンテナを接続するだけでＵＨＦ帯からＶＨＦ帯までのテレビジョン信号を受信することができる。
また、本発明のチュ−ナカ−ド、即ち、パ−ソナルコンピュ−タ用テレビジョン信号受信ユニットは、パソコン本体の装着口に挿入されるプリント基板１に、アンテナの補正する補正回路３３が設けられたテレビジョン信号受信チュ−ナ２を搭載したので、屋外のアンテナに接続されたアンテナケ−ブルがパソコンの使用場所の近くまで引き込まれていなくても、例えば、パソコン本体の外側面に簡単な棒状のアンテナを備えておいてこの棒状のアンテナをチュ−ナ２のコネクタ２ａに接続するだけでパソコンの使用場所の制限を受けることなくＵＨＦ帯からＶＨＦ帯までのテレビジョン信号を受信することができる。
【００２６】
そして、チュ−ナ２においては、ＵＨＦチュ−ナ部２４に供給するＵＨＦ帯のバンド切り換え電圧ＵＢで第一のスイッチダイオ−ド３０を導通させ、またＶＨＦチュ−ナ部２３に供給するハイバンドのバンド切り換え電圧ＨＢで第二のスイッチダイオ−ド３１を導通させるようにしているので、チュ−ナ２のバンド切り換えに連動して補正回路３３における第一のインダクタ２８、第二のインダクタ２９からなる直列体のインダクタンス値を容易に変えることができる。
【００２７】
なお、図３に示すように、チュ−ナ２の入力端２１に接続する外部アンテナ３４を、プリント基板１の他端側に沿って導体パタ−ンで形成し、その一端３４ａチュ−ナ２の入力端２１に接続しておけば別体のアンテナを備える必要がない。この際、チュ−ナ２には図１に示すようなコネクタ２ａを設ける必要がなく、代わりに、チュ−ナ２には入力端２１に接続されたアンテナ端子（図示せず）を図３の下側に突出させ、このアンテナ端子をプリント基板１に挿通してアンテナ３４の一端３４ａとプリント基板１の下面で導体パタ−ン（図示せず）等の適宜手段で接続すればよい。また、アンテナ３４をプリント基板１の他端側だけに形成したのでは長さが不足する場合には、図３のようにプリント基板１の側端に沿ってさらに延在させて所定の長さとすることができる。
このようにアンテナ３４をプリント基板１の他端側に沿って形成すれば、プリント基板１をパソコンの装着口に挿入してもチュ−ナ２とともにアンテナ３４もパソコン本体の装着口には挿入されないので、このアンテナ３４によってテレビジョン信号を受けることができる。
【００２８】
次に、本発明のチュ−ナカ−ドの第二の実施の形態を図４を用いて説明する。ここで、図１乃至図３に示す構成と同じ機能の構成については同一符号を付す。プリント基板１の一端側にはコネクタ部１ａが形成され、この一端側に対向する他端側に沿って導体パタ−ンで形成されたアンテナ３４が設けられている。そして、プリント基板１上には、アンテナ３４の近傍の領域１ｃ、１ｄにチュ−ナ２を構成する図２の各回路ブロックが構成されている。即ち、プリント基板１上の領域１ｄには図２の補正回路３３を構成する第一のインダクタ２８、第二のインダクタ２９となる、例えばコイルが取り付けられ、さらに、第一のスイッチダイオ−ド３０、第二のスイッチダイオ−ド３１、抵抗３２が取り付けられている。そして、補正回路３３の入力端２１がアンテナ３４の一端３４ａに接続される。
【００２９】
一方この領域１ｄに隣接した領域１ｃには、分波回路２２、ＶＨＦチュ−ナ部２３、ＵＨＦチュ−ナ部２４、中間周波回路２５、復調回路２６、バンド切り換え電圧発生回路２７等の各回路ブロックを構成する電子部品（図示せず）が直接プリント基板１に搭載されている。そして、領域１ｃ、１ｄに搭載された電子部品を覆うように図示しない金属カバ−がプリント基板１に取り付けられる。
このように、チュ−ナ２の各回路ブロックを直接プリント基板１上に構成することによって、チュ−ナ２には金属ケ−スおよびこの金属ケ−ス内に収納するチュ−ナ基板が不要となり、また、そのことによってチュ−ナカ−ドを薄型に構成できる。この場合においても、領域１ｃに構成されたＶＨＦチュ−ナ部２３、ＵＨＦチュ−ナ部２４に供給されるハイバンドのバンド切り換え電圧ＨＢ、ＵＨＦ帯のバンド切り替え電圧ＵＢは、領域１ｄに構成された補正回路３３の第二のスイッチダイオ−ド３１のアノ−ド、第一のスイッチダイオ−ド３０のアノ−ドにもそれぞれ供給されるようになっている。
そして、この第二の実施の形態においても、チュ−ナ２のバンド切り換えに対応して補正回路３３の第一のインダクタ２８と第二のインダクタ３９との直列体のインダクタンスを変えることによって、簡単にアンテナ３４の長を補正することができる。
【００３０】
次に、本発明のチュ−ナカ−ドの第三の実施の形態を図５を用いて説明する。ここで、図１乃至図４に示す構成と同じ機能の構成については同一符号を付す。プリント基板１の一端側にはコネクタ部１ａが形成され、この一端側に対向する他端側に沿って導体パタ−ンで形成されたアンテナ３４が設けられている。そして、プリント基板１上には、アンテナ３４の一端３４ａの近傍の領域１ｄに、図２の補正回路３３を構成する第一のインダクタ２８、第二のインダクタ２９となる、例えばコイルが取り付けられ、さらに、第一のスイッチダイオ−ド３０、第二のスイッチダイオ−ド３１、抵抗３２が取り付けられている。そして、補正回路３３の入力端２１がアンテナ３４の一端３４ａに接続される。
【００３１】
一方補正回路３３が構成された領域１ｄに隣接した領域１ｃには、図６に示す分波回路２２、ＶＨＦチュ−ナ部２３、ＵＨＦチュ−ナ部２４、中間周波回路２５、復調回路２６、バンド切り換え電圧発生回路２７等の各回路ブロックを有するチュ−ナ３５が搭載される。チュ−ナ３５は、金属ケ−ス内に収納されたチュ−ナ基板（いずれも図示せず）に上記の各回路ブロックが構成されている。そして、このチュ−ナ３５の分波回路２２が領域１ｄに構成された補正回路３３に適宜の手段で接続され、アンテナ３４で受信したテレビジョン信号が補正回路３３を介してチュ−ナ３５に入力されるようになっている。チュ−ナ３５の構成は、図２に示すチュ−ナ２の構成における補正回路３３が省略されており、バンド切り換え電圧発生回路２７からのＵＨＦ帯のバンド切り換え電圧ＵＢがＵＨＦチュ−ナ部２４に供給され、また、ハイバンドのバンド切り換え電圧ＨＢ、ロ−バンドのバンド切り替え電圧ＬＢがＶＨＦチュ−ナ部２３に供給されている。
【００３２】
さらに、ＵＨＦ帯のバンド切り換え電圧ＵＢ、ハイバンドのバンド切り替え電圧ＨＢが端子３６、３７からチュ−ナ３５の外部に取り出されるようになっている。端子３６、３７は、チュ−ナ３５がプリント基板１上に搭載された状態でプリント基板１を挿通するようになっており、この端子３６と領域１ｄに構成された補正回路３３の第一のスイッチダイオ−ド３０のアノ−ドとが適宜手段で接続され、また、端子３７と第二のスイッチダイオ−ド３１のアノ−ドとが適宜手段で接続され、第一のスイッチダイオ−ド３０と第二のスイッチダイオ−ド３１とにそれぞれＵＨＦ帯のバンド切り替え電圧ＵＢ、ハイバンドのバンド切り替え電圧ＨＢが供給されるようになっている。
【００３３】
このチュ−ナ３５は、図７および図８に示す従来のチュ−ナ４２と比較するとＵＨＦ帯のバンド切り換え電圧ＵＢ、ハイバンドのバンド切り替え電圧ＨＢを外部に導出するための端子３６、３７が設けられている点が異なっている。従って、従来のチュ−ナ４２に端子３６、３７を設けることによって本発明のチュ−ナカ−ドにおける第三の実施の形態に使用するチュ−ナ３５が簡単に構成できる。
【００３４】
【発明の効果】
以上のように、本発明のテレビジョン信号受信チュ−ナは、入力端子と分波器との間にインダクタを接続し、インダクタのインダクタンス値を、ＵＨＦ帯のテレビジョン信号の受信状態では最小値とし、ロ−バンドのテレビジョン信号の受信状態では最大値とし、ハイバンドのテレビジョン信号の受信状態では最小値と最大値との間の値とするように切り換えたので、入力端子にＵＨＦ帯のテレビジョン信号を受信するのに必要な長さのアンテナを接続するだけでＵＨＦ帯からＶＨＦ帯までのテレビジョン信号を効率良く受信することができる。
【００３５】
また、本発明のテレビジョン信号受信チュ−ナは、インダクタは互いに直列接続された第一及び第二のインダクタと、第一及び第二のインダクタの直列接続体に並列接続された第一のスイッチダイオ−ドと、第二のインダクタに並列接続された第二のスイッチダイオ−ドとを有し、ＵＨＦ帯のテレビジョン信号の受信状態では第１のスイッチダイオードを導通状態とし、ロ−バンドのテレビジョン信号の受信状態では第１及び第２のスイッチダイオードを共に非導通状態とし、ハイバンドのテレビジョン信号の受信状態では第２のスイッチダイオードを導通状態としたので、スイッチダイオードをオン／オフするだけで、ＵＨＦ帯、ハイバンド、ローバンドに対応してインダクタのインダクタンス値を切り替えられる。
【００３６】
そして、本発明のパ−ソナルコンピュ−タ用テレビジョン信号受信ユニットは、
パ−ソナルコンピュ−タ本体の装着口に挿入される矩形状のプリント基板の一端側にはパ−ソナルコンピュ−タ本体内のコネクタに係合可能なコネクタ部を形成し、プリント基板上の他端側にはアンテナ接続用の入力端子と入力端子に一端が接続されたインダクタとを設け、プリント基板上には、分波器とＶＨＦチュ−ナ部及びＵＨＦチュ−ナ部とを有するチュ−ナ部を直接構成し、インダクタの他端を分波器に接続し、インダクタのインダクタンス値を、ＵＨＦ帯のテレビジョン信号の受信状態では最小値とし、ロ−バンドのテレビジョン信号の受信状態では最大値とし、ハイバンドのテレビジョン信号の受信状態では最小値と最大値との間の値とするように切り換えたので、チュ−ナ部を構成するチュ−ナ基板やこのチュ−ナ基板を収納する専用の金属ケ−スが不要となり、パ−ソナルコンピュ−タ用テレビジョン信号受信ユニットを薄型に構成できる。また、入力端子にＵＨＦ帯のテレビジョン信号を受信するのに必要な長さのアンテナを接続するだけでＵＨＦ帯からＶＨＦ帯までのテレビジョン信号を受信できるユニットを薄型に構成できる。
【００３７】
また、本発明のパ−ソナルコンピュ−タ用テレビジョン信号受信ユニットは、
パ−ソナルコンピュ−タ本体の装着口に挿入される矩形状のプリント基板の一端側には前記パ−ソナルコンピュ−タ本体内のコネクタに係合可能なコネクタ部を形成し、プリント基板上の他端側にはアンテナ接続用の入力端子と入力端子に一端が接続されたインダクタとを設け、プリント基板上にはインダクタに隣接して、分波器とＶＨＦチュ−ナ部及びＵＨＦチュ−ナ部とを有するテレビジョン信号受信チュ−ナを搭載し、インダクタの他端を分波器に接続し、インダクタのインダクタンス値を、ＵＨＦ帯のテレビジョン信号の受信状態では最小値とし、ロ−バンドのテレビジョン信号の受信状態では最大値とし、ハイバンドのテレビジョン信号の受信状態では最小値と前記最大値との間の値とするように切り換えたので、プリント基板に搭載するテレビジョン信号受信チュ−ナは従来のチュ−ナを用いることができる。したがって、プリント基板上には入力端子とインダクタのみを構成すれば簡単にパ−ソナルコンピュ−タ用テレビジョン信号受信ユニットが構成でき、しかも、入力端子にＵＨＦ帯のテレビジョン信号を受信するのに必要な長さのアンテナを接続するだけでＵＨＦ帯からＶＨＦ帯までのテレビジョン信号を受信できる。
【００３８】
また、本発明のパ−ソナルコンピュ−タ用テレビジョン信号受信ユニットは、インダクタは互いに直列接続された第一及び第二のインダクタと、第一及び第二のインダクタの直列接続体に並列接続された第一のスイッチダイオ−ドと、第二のインダクタに並列接続された第二のスイッチダイオ−ドとを有し、ＵＨＦ帯のテレビジョン信号の受信状態では第１のスイッチダイオードを導通状態とし、ロ−バンドのテレビジョン信号の受信状態では第１及び第２のスイッチダイオードを共に非導通状態とし、ハイバンドのテレビジョン信号の受信状態では第２のスイッチダイオードを導通状態としたので、スイッチダイオードをオン／オフするだけで、ＵＨＦ帯、ハイバンド、ローバンドに対応してインダクタのインダクタンス値を切り替えられる。
【００３９】
また、本発明のパ−ソナルコンピュ−タ用テレビジョン信号受信ユニットは、プリント基板上には、プリント基板の他端に沿って導体パタ−ンで形成されたライン状のアンテナを設け、アンテナの一端を入力端子に接続したので、このパ−ソナルコンピュ−タ用テレビジョン信号受信ユニットをパ−ソナルコンピュ−タ本体に装着しても外部に別体のアンテナを設けることなく、テレビジョン信号を受信できる。
【００４０】
そして、本発明のパ−ソナルコンピュ−タ用テレビジョン信号受信ユニットは、前記アンテナの長さを、前記ＵＨＦ帯のテレビジョン信号の周波数帯のほぼ中間の周波数に対して１／４波長に設定したので、アンテナの長さを最短にしたままでＵＨＦ帯からＶＨＦ帯までのテレビジョン信号を受信できる。
【図面の簡単な説明】
【図１】本発明のパ−ソナルコンピュ−タ用テレビジョン信号受信ユニットにおける第一の実施の形態の斜視図である。
【図２】本発明のテレビジョン信号受信チュ−ナのブロック構成図である。
【図３】本発明のパ−ソナルコンピュ−タ用テレビジョン信号受信ユニットにおける第一の実施の形態の変形例の斜視図である。
【図４】本発明のパ−ソナルコンピュ−タ用テレビジョン信号受信ユニットにおける第二の実施の形態の平面図である。
【図５】本発明のパ−ソナルコンピュ−タ用テレビジョン信号受信ユニットにおける第三の実施の形態の平面図である。
【図６】本発明のパ−ソナルコンピュ−タ用テレビジョン信号受信ユニットにおける第三の実施の形態に用いるテレビジョン信号受信チュ−ナのブロック構成図である。
【図７】従来のパ−ソナルコンピュ−タ用テレビジョン信号受信ユニットにおける第一の実施の形態の斜視図である。
【図８】従来のパ−ソナルコンピュ−タ用テレビジョン信号受信ユニットに使用するテレビジョン信号受信チュ−ナのブロック構成図である。
【符号の説明】
１  プリント基板
１ａ  コネクタ部
２  テレビジョン信号受信チュ−ナ
２ａ  コネクタ
２１  入力端子
２２  分波器
２３  ＶＨＦチュ−ナ部
２４  ＵＨＦチュ−ナ部
２５  中間周波回路
２６  復調回路
２７  バンド切り替え電圧発生回路
２７ａ、２７ｂ、２７ｃ  出力端子
２８  第一のインダクタ
２９  第二のインダクタ
３０  第一のスイッチダイオ−ド
３１  第二のスイッチダイオ−ド
３２  抵抗
３３  補正回路
３４  アンテナ
３５  テレビジョン信号受信チュ−ナ
ＵＢ  ＵＨＦ帯のバンド切り替え電圧
ＨＢ  ハイバンドのバンド切り替え電圧
【図１】
0003597344.tif 000002
【図２】
0003597344.tif 000003
【図３】
0003597344.tif 000004
【図４】
0003597344.tif 000005
【図５】
0003597344.tif 000006
【図６】
0003597344.tif 000007
【図７】
0003597344.tif 000008
【図８】
0003597344.tif 000009